(57)【特許請求の範囲】
【請求項１】
スライダーを扉開閉方向に案内するスライドガイドが固定された戸袋部と、
前記スライダーに対して所定の位置調整範囲内で固定位置を変位自在に取り付けられた可動扉と、
を備え、
前記スライダーおよび前記可動扉のうちの一方が丸孔部を、他方がカム係合部を有し、
前記丸孔部および前記カム係合部は、前記丸孔部に嵌合する円柱部と当該円柱部の先に前記カム係合部に係合するカム部とが一体となった治具が着脱可能に構成され、
前記カム係合部は、前記位置調整範囲内において、前記丸孔部を介して視認可能な位置に設けられている、
可動式ホーム柵。
【請求項２】
前記丸孔部および前記カム係合部は、扉開閉方向に沿って２対設けられている、
請求項１に記載の可動式ホーム柵。
【請求項３】
前記可動扉は、前記スライダーに対して戸先側および戸尻側の高さを前記位置調整範囲内で変位自在に取り付けられており、
前記カム係合部に対する前記カム部のカム接触位置に応じて、前記スライダーに対する前記可動扉の戸先側および戸尻側の高さが変化する、
請求項２に記載の可動式ホーム柵。
【請求項４】
前記戸袋部は、トラックガイドを有し、
前記可動扉は、トラックランナー部を有し、
前記トラックガイドは、前記位置調整範囲に係る上下の位置変化に対応する遊びを有して前記トラックランナー部を前記扉開閉方向にスライド可能に遊嵌する、
請求項１〜３の何れか一項に記載の可動式ホーム柵。
【請求項５】
請求項１〜４の何れか一項に記載された可動式ホーム柵の前記丸孔部および前記カム係合部に対して、前記丸孔部に嵌合する円柱部と当該円柱部の先に前記カム係合部に係合するカム部とを備えた治具。
【発明の詳細な説明】
【技術分野】
【０００１】
本発明は、可動式ホーム柵に関する。
【背景技術】
【０００２】
可動式ホーム柵は、鉄道駅のプラットホームに設置される安全設備であって、乗降客の線路への転落や走行列車との接触などの危険事象のリスクを低減する設備である。
可動式ホーム柵の１つに、可動扉を引戸とした引戸型の可動式ホーム柵がある。引戸型の可動式ホーム柵の設置構成としては、例えば、戸袋部に対して左側で可動扉が進退する左ドアタイプと、戸袋部に対して右側で可動扉が進退する右ドアタイプと、を乗降口の左右に配置して、可動扉を両開きにする構成がよく知られている。
【０００３】
引戸型の可動式ホーム柵を設置する際には、可動扉の取り付け位置の調整が行われる。具体的には、乗降口を閉じた時に、左右の可動扉の先端の突き合わせにずれが生じないように、可動扉をスライド可能に支持する支持案内機構部に対する可動扉の取り付け位置および姿勢を調整する。こうした位置調整は、設置初期時のみならず、必要に応じて定期点検においても実施される。そのため、戸袋部に可動扉を取り付ける位置を調整するための構造を有した可動式ホーム柵が知られている（例えば、特許文献１を参照）。
【先行技術文献】
【特許文献】
【０００４】
【特許文献１】特開２０１８−１８７９５４号公報
【発明の概要】
【発明が解決しようとする課題】
【０００５】
近年、開口幅が大きい引戸型の可動式ホーム柵への需要が増大する傾向にある。開口幅が大きくなると、必然的に可動扉も長尺化し重量も増す。その結果、可動扉の位置調整、特に上下方向の傾きに係る位置調整は、可動扉を調整中に作業員が支えなければならないため、開口幅の増大にともなう作業負担の増加が著しい。もっとも、開口幅の大きさに関わらず、可動扉の位置調整は作業負担になっている。
【０００６】
本発明は、戸袋部に対する可動扉の位置調整の作業性を向上させることを課題として考案された。
【課題を解決するための手段】
【０００７】
上記課題を解決するための第１の発明は、スライダーを扉開閉方向に案内するスライドガイドが固定された戸袋部と、前記スライダーに対して所定の位置調整範囲内で固定位置を変位自在に取り付けられた可動扉と、を備え、前記スライダーおよび前記可動扉のうちの一方が丸孔部を、他方がカム係合部を有し、前記丸孔部および前記カム係合部は、前記丸孔部に嵌合する円柱部と当該円柱部の先に前記カム係合部に係合するカム部とが一体となった治具が取り付け可能に構成された、可動式ホーム柵、である。
【０００８】
第１の発明によれば、可動式ホーム柵に治具を取り付けると、スライダーと可動扉の何れか一方の丸孔部で治具が枢支され、他方のカム係合部と治具のカム部とが係合し、回転カム機構が構成される。作業員が、治具を丸孔部内で回転させるように調整操作すると、カム部とカム係合部との作用により可動扉がスライダーに対してカムリフト方向へ変位する。従って、作業員は、可動扉とスライダーとの締め付けを緩めた後に、治具を回転させて、所望する位置に可動扉を変位させ、再び締め付けをするだけでよい。従来に比べて、戸袋部に対する可動扉の位置調整の作業性が向上する。
【０００９】
第２の発明は、前記治具が、着脱可能であり、前記カム係合部は、前記位置調整範囲内において、前記丸孔部を介して視認可能な位置に設けられている、第１の発明の可動式ホーム柵、である。
【００１０】
第２の発明によれば、治具を差し込み／引き抜きで着脱することが可能となる。
【００１１】
第３の発明は、前記丸孔部および前記カム係合部が、扉開閉方向に沿って２対設けられている、第１又は第２の発明の可動式ホーム柵である。
【００１２】
また、第４の発明は、前記可動扉が、前記スライダーに対して戸先側および戸尻側の高さを前記位置調整範囲内で変位自在に取り付けられており、前記カム係合部に対する前記カム部のカム接触位置に応じて、前記スライダーに対する前記可動扉の戸先側および戸尻側の高さが変化する、第３の発明の可動式ホーム柵である。
【００１３】
第３または第４の発明によれば、戸袋部に対する可動扉の相対的な傾斜を調整できるのみならず、傾斜を維持したまま可動扉を上下方向に移動させるような位置調整も可能になる。つまり、位置調整の自由度が高くなる。
【００１４】
第５の発明は、前記戸袋部が、トラックガイドを有し、前記可動扉は、トラックランナー部を有し、前記トラックガイドは、前記位置調整範囲に係る上下の位置変化に対応する遊びを有して前記トラックランナー部を前記扉開閉方向にスライド可能に遊嵌する、第１〜第４の何れかの発明の可動式ホーム柵である。
【００１５】
第５の発明によれば、治具を用いた可動扉の位置調整の影響を受けずに、スライドガイドとスライダーによる可動扉の支持案内に加えて、トラックガイドとトラックランナー部による扉開閉方向への第２の案内を実現し、扉開閉における可動扉の案内を強化できる。
【００１６】
第６の発明は、第１〜第５の何れかの発明の可動式ホーム柵の前記丸孔部および前記カム係合部に対して、前記丸孔部に嵌合する円柱部と当該円柱部の先に前記カム係合部に係合するカム部とを備えた治具、である。
【００１７】
第６の発明によれば、第１〜第５の何れかの発明と同様の効果を得るための治具を実現することができる。
【図面の簡単な説明】
【００１８】
【図１】可動式ホーム柵の内部構造の例を示す内部構造図。
【図２】可動扉の構成例を示す図。
【図３】戸袋部の構成例を示す図。
【図４】第１直動機構部を扉開閉方向に直交する縦断面で見た拡大断面図。
【図５】治具の例を示す側面図。
【図６】治具の例を示す背面図。
【図７】戸袋部に対する可動扉の位置調整の作業の手順を説明するための透視図。
【図８】図７のスライダー周りの拡大透視図。
【図９】カム機構の変形例を示す部分断面図。
【発明を実施するための形態】
【００１９】
以下、本発明の実施形態の例を説明するが、本発明を適用可能な形態が以下の実施形態に限られないことは勿論である。
【００２０】
図１は、プラットホーム側から見た可動式ホーム柵の内部構造の例を示す内部構造図である。なお、理解を容易にするために、可動扉の外装や、可動扉を扉開閉方向へ駆動する駆動部などの図示は省略している。
【００２１】
可動式ホーム柵２は、引戸型の１枚の可動扉４を、プラットホームから線路側を見て戸袋部６の右方へ進退させて開閉する右ドアタイプである。可動扉４の戸尻側（図１の左側）は、戸袋部６の支持案内機構で支持・案内される。戸袋部６は、支持案内機構として、可動扉４の上部を扉開閉方向へ案内する第１直動機構部１０と、可動扉４の下部を案内する第２直動機構部２０と、を有する。
【００２２】
図２は、可動扉４の構成例を示す図であって、プラットホーム側から見た図である。なお、理解を容易にするために、可動扉の外装や可動扉を扉開閉方向へ駆動する駆動部との連結に係わる構造などは図示を省略している。
【００２３】
可動扉４は、戸先側の扉部４１と、戸尻側の上部連結腕部４２および下部連結腕部４３と、を有する。上部連結腕部４２は、扉部４１の戸尻側上部より扉開閉方向に沿って戸尻方向へ延出された構造部であって、第１直動機構部１０に連結される。下部連結腕部４３は、扉部４１の戸尻側下部より扉開閉方向に沿って戸尻方向へ延出された構造部であって、第２直動機構部２０に連結される。
【００２４】
下部連結腕部４３は、第２直動機構部２０に連結するための固定ボルト用のネジ孔４４を、扉開閉方向の戸先側と戸尻側それぞれに２つずつ合計４つ有する。また、下部連結腕部４３は、戸先側のネジ孔４４と、戸尻側のネジ孔４４との間に、戸先側の戸先カム係合部４５ｆと、戸尻側の戸尻カム係合部４５ｒとが扉開閉方向に沿って設けられている。
【００２５】
戸先カム係合部４５ｆと戸尻カム係合部４５ｒは、扉開閉方向に長い長孔であって、孔幅は後述する治具５０のカム部５３（図５参照）が挿通可能に設定されている。
【００２６】
図３は、戸袋部６の構成例を示す図であって、プラットホーム側から見た内部構造図である。なお、理解を容易にするために、プラットホーム側の外装部品や、可動扉４を駆動させるための駆動機構などの図示は省略している。
【００２７】
第１直動機構部１０は、扉開閉方向に沿って戸袋部６の内部に固定されたトラックガイド１１と、当該トラックガイド内をスライド可能に遊嵌するトラックランナー部１２と、を有する。
【００２８】
図４は、第１直動機構部１０を扉開閉方向に直交する縦断面で見た拡大断面図である。
トラックガイド１１は、例えば、下面に扉開閉方向に沿った開口溝を有し、例えば、扉開閉方向に直交する縦断面で見ると下方に開口する矩形の内部空間を画成する金属製の引き抜き材で実現できる。
【００２９】
トラックランナー部１２は、トラックガイド１１内に遊嵌して、トラックガイド１１の長手方向に移動可能な部品である。具体的には、トラックランナー部１２は、可動扉４の上部連結腕部４２（図２参照）に螺合・固定される軸ボルト１２１と、軸ボルト１２１を上下方向の回転軸としてその上端で枢支された転動ローラ１２２と、を有する。
【００３０】
軸ボルト１２１の径は、トラックガイド１１の開口溝の横幅（図４における左右方向の幅）よりも小さく設定されている。転動ローラ１２２の径は、トラックガイド１１の内部空間の横幅（図４の左右方向の幅）よりも僅かに小さく設定されている。また、転動ローラ１２２の肉厚（図４における上下方向の厚み）は、後述する治具５０（図５、図６参照）による可動扉４の位置調整に伴う上下変位を許容できるだけの余地をトラックガイド１１の内部空間に残すように、トラックガイド１１の矩形内部空間の上下幅よりも小さく設定されている。
【００３１】
よって、軸ボルト１２１をトラックガイド１１の下面の開口溝に挿通させ、転動ローラ１２２をトラックガイド１１の内部空間の内側面に接触・転動させことで、トラックランナー部１２はトラックガイド１１に案内されて扉開閉方向へ移動可能である。
【００３２】
図３に戻って、第２直動機構部２０は、戸袋部６の下部にて扉開閉方向に沿って固定された直線状のスライドガイド２１と、当該ガイドに滑り軸受を介してスライド自在に係合するスライダー２２と、を有する。第２直動機構部２０は、可動扉４の荷重を支え、扉開閉方向へ可動扉４を平行移動させる直動の精度を維持する。
【００３３】
スライダー２２は、可動扉４の下部連結腕部４３（図２参照）を取り付けるための連結プレート２２１を有する。
【００３４】
連結プレート２２１は、金属板であって、上部がスライダー２２に固定されている。連結プレート２２１は、扉開閉方向の戸先側と戸尻側それぞれに２つずつ、合計４つの連結ボルト３０（図１参照）が挿通可能な連結用長孔２２３を有する。連結用長孔２２３は上下方向に長い長孔であり、連結用長孔２２３の長さが、スライダー２２に対して可動扉４の固定位置を変位自在に取り付けられる位置調整範囲となる。
【００３５】
また、連結プレート２２１は、戸先側の連結用長孔２２３と戸尻側の連結用長孔２２３との間に、扉開閉方向に沿って、戸先側の戸先丸孔部２２４ｆおよび戸尻側の戸尻丸孔部２２４ｒの２つの丸孔部を有する。
【００３６】
戸先丸孔部２２４ｆと戸尻側の戸尻丸孔部２２４ｒは、同径の丸孔であって、扉開閉方向に対して直交する横穴である。そして、戸先丸孔部２２４ｆと戸尻丸孔部２２４ｒは、治具５０（図１参照）を枢支する軸受部として機能する。
【００３７】
図５は、治具５０の例を示す側面図である。図６は、治具５０の背面図である。
治具５０は、工具係合部５１と、円柱部５２と、カム部５３と、を有する。
【００３８】
工具係合部５１は、作業員が位置調整するための工具（例えば、スパナ、レンチなど）を係合させて当該治具を操作するための部位である。
【００３９】
円柱部５２は、当該治具を連結プレート２２１に枢支させるための軸となる部位である。円柱部５２の長さは、連結プレート２２１の板厚を貫通できるように設定する。円柱部５２の径は、戸先丸孔部２２４ｆと戸尻丸孔部２２４ｒの孔径と対応する。
【００４０】
カム部５３は、戸先カム係合部４５ｆまたは戸尻カム係合部４５ｒに挿入可能な突起部である。カム部５３は、円柱部５２よりも小径の円柱体であって、円柱部５２の工具係合部５１とは反対側に突設されている。カム部５３は、円柱部５２の中心軸からオフセットして突設されている。そのため、カム部５３は、戸先カム係合部４５ｆまたは戸尻カム係合部４５ｒと係合することで回転カム機構を構成することとなる。
【００４１】
図７は、戸袋部６に対する可動扉４の位置調整の作業の手順を説明するための透視図であって、図１の状態からスライダー２２に対する可動扉４の戸先側の高さを上げるように位置調整する例を示している。図８は、図７のスライダー２２の周りの拡大透視図である。
【００４２】
作業員は、可動扉４を戸袋部６から進出させた全閉状態にする。次に、作業員は、２つの治具５０を、それぞれ戸先丸孔部２２４ｆと戸尻丸孔部２２４ｒへ差し込む。このとき、戸先丸孔部２２４ｆからは、位置調整範囲内において、丸孔越しに可動扉４の戸先カム係合部４５ｆが視認可能な位置関係にある。同じく、戸尻丸孔部２２４ｒからは、位置調整範囲内において、丸孔越しに戸尻カム係合部４５ｒが視認可能な位置関係にある。
【００４３】
よって、作業員は、差し込む治具５０のカム部５３が、差し込む丸孔部の奥に露出している戸先カム係合部４５ｆまたは戸尻カム係合部４５ｒに係合できるように、治具５０の向きを調整しつつ差し込みを行う。そして、作業員は、４本の連結ボルト３０を緩めて、可動扉４とスライダー２２との固定を解く。このとき、可動扉４の荷重は、治具５０の円柱部５２と、戸先丸孔部２２４ｆおよび戸尻丸孔部２２４ｒと、を介して第２直動機構部２０によって支持されている。
【００４４】
次に、作業員は、戸先カム係合部４５ｆに挿入されている治具５０の工具係合部５１に工具を係合させ、円柱部５２を軸にして、カム部５３が現状よりも上方或いは下方へ移動するように回転操作する調整操作を行う（図７の例では、反時計回りに回転操作）。
【００４５】
カム部５３は、その外側面を戸先カム係合部４５ｆの内周面に摺接しつつ、戸先カム係合部４５ｆとともに回転カム機構として機能する。この結果、可動扉４は、戸尻カム係合部４５ｒに挿入された治具５０の円柱部５２を回転軸にしつつ、戸先カム係合部４５ｆがリフトアップする。治具５０の回転操作は、可動扉４が所望する傾斜角度になるまで実行される。
【００４６】
このとき、可動扉４の位置調整に伴って、トラックランナー部１２のトラックガイド１１に対する相対位置と相対姿勢も変化する。しかし、前述のように、トラックガイド１１とトラックランナー部１２は、上下の位置変化に対応する遊びを有して遊嵌しているので、可動扉４の位置が調整されても第１直動機構部１０としての機能を維持する。逆説的に言えば、トラックガイド１１とトラックランナー部１２との遊び量は、可動扉４の位置調整にともなう上下の位置変化を許容できる大きさにすると好適である。
【００４７】
可動扉４が所望する位置に達すると、作業員は、連結ボルト３０を締めて戸袋部６に可動扉４を固定する。そして、治具５０を抜いて作業を終了する。治具５０は、別の同型の可動式ホーム柵２での可動扉４の位置調整に流用できる。勿論、治具５０を可動式ホーム柵２それぞれに個別備品として設けても良い。
【００４８】
可動扉４の戸袋部６に対する位置調整は、図７に示したように、戸先側の高さを変えることで戸袋部６に対する相対的な角度（上下傾斜角度）を変更するケースだけではない。戸先カム係合部４５ｆに挿入された治具５０はそのままに、戸尻カム係合部４５ｒに挿入された治具５０を回転操作して戸尻側の高さを変えることでスライダー２２に対する戸尻側の取り付け角度を変更して、戸袋部６に対する相対的な角度（上下傾斜角度）を変更できる。また更に、両方の治具５０を回転操作すれば、取り付け角度のみならず、可動扉４を上下に平行または略平行に移動させるような位置調整もできる。
【００４９】
以上、本実施形態によれば、作業員は、従来の可動扉４の位置調整のように、作業員が可動扉４を支えたり、支持具を用意する必要が無い。可動扉４とスライダー２２との締め付けを緩めた後に、治具５０を回転させて、所望する位置に可動扉４を変位させ、再び締め付けをするだけでよい。従来に比べて、戸袋部に６対する可動扉４の位置調整の作業性が向上する。
【００５０】
〔変形例〕
なお、本発明を適用可能な形態は、上記実施形態に限らず、適宜構成要素の追加・省略・変更を施すことができる。
【００５１】
例えば、上記実施形態では、可動扉４の固定構造と調整機構とを、可動扉４の戸尻側下部に設けた例を示したが、可動扉４の戸尻側上部に設けた構成でもよい。例えば、図１の構成を上下に反転し、第１直動機構部１０を戸袋部６の下部、第２直動機構部２０を戸袋部６の上部に設けた構成も可能である。
【００５２】
また、上記実施形態では、戸先丸孔部２２４ｆと戸尻丸孔部２２４ｒとをスライダー２２（連結プレート２２１）に設け、戸先カム係合部４５ｆと戸尻カム係合部４５ｒとを可動扉４に設ける構成としたが、これを逆にしてもよい。戸先丸孔部２２４ｆと戸尻丸孔部２２４ｒとを可動扉４に設け、戸先カム係合部４５ｆと戸尻カム係合部４５ｒとをスライダー２２（連結プレート２２１）に設ける構成としてもよい。その場合、治具５０の差し込み方向が上記実施形態とは反対となる。
【００５３】
また、上記実施形態では、２つの治具５０を同じ形状として説明したが、形状やカムリフトの設定を別々にしてもよい。例えば、戸先側を上下する調整が主であるならば、戸先カム係合部４５ｆに挿入する治具５０のカムリフトの設定を、戸尻カム係合部４５ｒに挿入する治具５０のそれよりもリフト量が大きくなるように設定してもよい。場合によっては、戸尻カム係合部４５ｒに挿入する治具５０のリフト量を「０」とし、単なる回転軸となるピンとする構成も可能である。
【００５４】
また、カム機構の構成は、長孔（戸先カム係合部４５ｆと戸尻カム係合部４５ｒ）と、回転軸からオフセットした円柱（カム部５３）の構成に限らず、適宜設定可能である。例えば、長孔は、可動扉４の下部連結腕部４３に対してカム部５３の上面が下方より当接する面であれば、カムフォロワーとして機能するので適宜代替可能である。例えば、図９に示すように、治具５０Ｂが、工具係合部５１と、円柱部５２と、カム部５３Ｂとを有する構成とする。カム部５３Ｂは、円柱部５２の外径よりも外側まで伸びる腕部５３１の外端部にカムローラ５３２を有する。そして、カムローラ５３２は、下部連結腕部４３の下面に当接する。
【００５５】
また、上記実施形態では、戸袋部６に対する可動扉４の上下の取り付け角度の調整に用いる例を示したが、戸袋部６に対する可動扉４の他の方向への位置調整に用いることもできる。
【符号の説明】
【００５６】
２…可動式ホーム柵
４…可動扉
４１…扉部
４２…上部連結腕部
４３…下部連結腕部
４４…ネジ孔
４５ｆ…戸先カム係合部
４５ｒ…戸尻カム係合部
６…戸袋部
１０…第１直動機構部
１１…トラックガイド
１２…トラックランナー部
１２１…軸ボルト
１２２…転動ローラ
２０…第２直動機構部
２１…スライドガイド
２２…スライダー
２２１…連結プレート
２２３…連結用長孔
２２４ｆ…戸先丸孔部
２２４ｒ…戸尻丸孔部
３０…連結ボルト
５０、５０Ｂ…治具
５１…工具係合部
５２…円柱部
５３、５３Ｂ…カム部
５３１…腕部
５３２…カムローラ
【図１】
0006931377.tif 000002
【図２】
0006931377.tif 000003
【図３】
0006931377.tif 000004
【図４】
0006931377.tif 000005
【図５】
0006931377.tif 000006
【図６】
0006931377.tif 000007
【図７】
0006931377.tif 000008
【図８】
0006931377.tif 000009
【図９】
0006931377.tif 000010